(57)【要約】【課題】搬送経路内において、原稿が通る位置を一定とすることが可能な原稿搬送装置を提供する。【解決手段】原稿読取位置２１２から読取後ローラ１２０までの搬送経路において、プラテンガラス２１０上の原稿読取位置２１２において、原稿が読み取られた後、すくい上げ部材２２０により原稿がすくい上げられ読取後ローラ１２０に搬送される。すくい上げ部材２２０に対向して搬送経路を形成するガイド部材１５０が設けられ、ガイド部材１５０には、すくい上げ部材２２０の頂点部２３０との間で原稿を保持することが可能な保持機構として搬送経路側に突出した凸部１４０が設けられる。【選択図】図３
2011042472.tif 000002
【特許請求の範囲】
【請求項１】
原稿を給紙するための給紙手段と、
前記給紙した原稿を原稿ガラス台の原稿読取位置に搬送するための読取前ローラと、
前記読取前ローラの原稿の搬送速度よりも搬送速度が速い、前記原稿読取位置後の原稿を排出するための読取後ローラとを備え、
前記読取前ローラと前記読取後ローラとの間の搬送経路は、弓状に湾曲させた形状とされ、
前記読取前ローラを前記原稿が抜けた後、搬送される原稿を、前記搬送経路を形成する前記原稿ガラス台近傍に設けられた原稿台部材と接触する少なくとも１つの接触点との間で保持することが可能な保持機構をさらに備える、原稿搬送装置。
【請求項２】
前記原稿台部材との間で前記搬送経路を形成するガイド部材をさらに備え、
前記ガイド部材は、前記搬送経路側に突出した凸部を有し、
前記保持機構は、前記原稿台部材の少なくとも１つの接触点と前記凸部とにより搬送される原稿を保持する、請求項１記載の原稿搬送装置。
【請求項３】
前記凸部は、原稿の搬送方向の前記原稿台部材の少なくとも１つの接触点よりも下流側の位置に設けられる、請求項２記載の原稿搬送装置。
【請求項４】
前記原稿台部材は、前記原稿読取位置よりも原稿の搬送方向の下流側に設けられる、請求項３記載の原稿搬送装置。
【請求項５】
前記保持機構の位置は、上下方向に調整可能である請求項１記載の原稿搬送装置。
【請求項６】
前記原稿台部材との間で前記搬送経路を形成するガイド部材をさらに備え、
前記ガイド部材は、
前記搬送経路側に突出した凸部と、
前記ガイド部材から前記搬送経路側に設けられ、前記原稿台部材と当接して前記凸部の位置を調整することが可能な調整部材とをさらに有する、請求項１記載の原稿搬送装置。
【発明の詳細な説明】
【技術分野】
【０００１】
本発明は、原稿搬送装置に関し、特に、固定した原稿読取部に対して原稿を搬送する原稿搬送装置に関する。
【背景技術】
【０００２】
複写機、ファクシミリ、イメージスキャナおよび複合機における原稿読取方式は、原稿固定方式と原稿搬送方式とに分けられる。このうち原稿搬送方式の原稿搬送装置では、複数の搬送ローラによって原稿を搬送する構成を有する原稿搬送装置が多く採用されている。
【０００３】
搬送ローラは、原稿読取位置の上流側と下流側にそれぞれ設けられ、ゴム等の高摩擦係数を持つ表面が原稿と接することにより摩擦力による原稿搬送を行う。例えば、原稿読取位置の上流側の搬送ローラを読取前ローラ、下流側の搬送ローラと読取後ローラとして説明する。
【０００４】
このような構成では、原稿読取位置に原稿を搬送する際、原稿の浮き、あるいは、たるみが発生すると焦点がずれ、解像力の劣化等によるコピー画像の画質の劣化が生じるという問題があった。
【０００５】
したがって、原稿読取位置において原稿にたるみ等が生じないように工夫する必要があり、一般的に、読取前ローラと読取後ローラとの搬送速度は、読取後ローラの方が若干速くなるように設定されている。そして、その速度差は、読取前ローラと読取後ローラとの間の搬送経路において突っ張りが生じない程度に設定されている。
【０００６】
しかしながら、読取前ローラと読取後ローラとの間で原稿を保持した状態で一定速度で搬送している状態から、原稿の後端が読取前ローラを抜けた際、原稿のテンションのかかり具合が大きく変化した場合には、原稿の搬送速度や姿勢が変化する可能性があり、画質が劣化する可能性がある。具体的には、原稿の搬送速度が変化した場合には、ピッチむらや色ずれが発生する可能性があり、また、原稿の姿勢が変化した場合には、像歪みや、主操作方向の倍率誤差の原因になる。
【０００７】
それゆえ、搬送経路内において、原稿の搬送速度や姿勢が変化しないようにさらなる工夫が求められており、特開２００５−９６８７７号公報においては、原稿を外側のガイドに押圧するとともに、原稿の挙動の自由度を制限するための弾性部材を設けることにより、搬送経路内において、原稿が通る位置を一定とする技術が開示されている。
【先行技術文献】
【特許文献】
【０００８】
【特許文献１】特開２００５−９６８７７号公報
【発明の概要】
【発明が解決しようとする課題】
【０００９】
しかしながら、上記特許文献１における構成においては、薄紙原稿を搬送する場合において、薄紙原稿の剛性が低いため薄紙原稿の先端が弾性部材に突入する際に、その抵抗で原稿の搬送速度が遅くなる可能性がある。一方で、弾性部材の弾性力を弱めると、厚紙原稿の弾性部材による押え力が弱くなるため機能を果たさなくなる可能性がある。すなわち、原稿の坪量に応じた弾性力の調整には限界があり、弾性部材を設ける方式では設定が困難である。
【００１０】
本発明は、上記のような問題を解決するためになされたものであって、搬送経路内において、原稿が通る位置を一定とすることが可能な原稿搬送装置を提供することを目的とする。
【課題を解決するための手段】
【００１１】
本発明に係る原稿搬送装置は、原稿を給紙するための給紙手段と、給紙した原稿を原稿ガラス台の原稿読取位置に搬送するための読取前ローラと、読取前ローラの原稿の搬送速度よりも搬送速度が速い、原稿読取位置後の原稿を排出するための読取後ローラとを備える。読取前ローラと読取後ローラとの間の搬送経路は、弓状に湾曲させた形状とされる。読取前ローラを原稿が抜けた後、搬送される原稿を、搬送経路を形成する原稿ガラス台近傍に設けられた原稿台部材と接触する少なくとも１つの接触点との間で保持することが可能な保持機構をさらに備える。
【００１２】
好ましくは、原稿台部材との間で搬送経路を形成するガイド部材をさらに備える。ガイド部材は、搬送経路側に突出した凸部を有し、保持機構は、原稿台部材の少なくとも１つの接触点と凸部とにより搬送される原稿を保持する。
【００１３】
特に、凸部は、原稿の搬送方向の原稿台部材の少なくとも１つの接触点よりも下流側の位置に設けられる。
【００１４】
特に、原稿台部材は、原稿読取位置よりも原稿の搬送方向の下流側に設けられる。
好ましくは、保持機構の位置は、上下方向に調整可能である。
【００１５】
好ましくは、原稿台部材との間で搬送経路を形成するガイド部材をさらに備え、ガイド部材は、搬送経路側に突出した凸部と、ガイド部材から搬送経路側に設けられ、原稿台部材と当接して凸部の位置を調整することが可能な調整部材とをさらに有する。
【発明の効果】
【００１６】
本発明に係る原稿搬送装置は、読取前ローラを原稿が抜けた後、搬送される原稿を、搬送経路を形成する原稿ガラス台近傍に設けられた原稿台部材と接触する少なくとも１つの接触点との間で保持することが可能な保持機構を設ける構成であるため、読取前ローラを原稿の後端が抜けた場合において、保持機構を設けることにより原稿が保持されることにより原稿のテンションのかかり具合が大きく変化することがなく、搬送経路内の原稿読取位置において、原稿が通る位置および原稿搬送速度を一定とすることが可能である。
【図面の簡単な説明】
【００１７】
【図１】本発明の実施の形態に従う複写機１について説明する図である。
【図２】本発明の実施の形態に従う原稿搬送装置１００の断面について説明する図である。
【図３】原稿読取位置２１２から読取後ローラ１２０までの搬送経路について説明する図である。
【図４】頂点部２３０と凸部１４０とにより原稿が保持される場合を模式的に説明する図である。
【図５】比較例として従来の装置において原稿が搬送される搬送経路について説明する図である。
【図６】本発明の実施の形態に従う読取前ローラ１１５から原稿読取位置２１２までの搬送経路について説明する図である。
【図７】頂点部２３５と凸部１４５とにより原稿が保持される場合を模式的に説明する図である。
【図８】凸部１４０の位置を調整する方式について説明する図である。
【図９】すくい上げ部材２２０の位置を調整する方式について説明する図である。
【発明を実施するための形態】
【００１８】
以下、図面を参照しつつ本発明の実施の形態１について説明する。以下の説明において同一の部品および構成要素には同一の符号を付してある。それらの名称および機能も同一であるものとする。
【００１９】
図１を用いて本発明の実施の形態に従う複写機１について説明する。
図１を参照して、本発明の実施の形態に従う複写機１は、原稿搬送装置１００と、これに連結された画像形成装置２００とを含む。画像形成装置２００は、原稿面の画像を読み取り一旦メモリに記憶して、必要により各種の画像編集処理をしたのち、周知の電子写真方式によって記録用紙上に画像を形成し、排出部からコピー済み用紙を１枚ずつ排出する、いわゆるデジタル複写機と称されるものである。
【００２０】
複写機１は、画像形成装置２００の上部に原稿搬送装置１００が搭載されている。この原稿搬送装置１００は、給紙トレイ１４上にセットされた１枚または複数枚の原稿を１枚ずつ搬送し、画像形成装置２００が有するイメージリーダ部２０によって画像を読込ませ、画像読み取り終了後に当該原稿を排紙トレイ１６上に排出して積載するものであり、両面原稿の場合は、表面と裏面の双方の画像を複写機１が有するイメージリーダ部２０を通過するように搬送した後、排紙トレイ１６に排出する。これらの原稿搬送制御は、原稿搬送制御部１５にて行なわれる。
【００２１】
原稿搬送装置１００または手置きなどにより図示しないプラテンガラス上にセットされた原稿は、画像形成装置２００に内蔵されているイメージリーダ部２０によってその画像が読み取られ、デジタルデータに変換されて制御部２２のメモリに格納される。画像形成部２４は、制御部２２のメモリから画像データを読み出して給紙部１８から供給される記録用紙Ｐに対して、画像の印刷処理を実行し、排出する。
【００２２】
図２を用いて、本発明の実施の形態に従う原稿搬送装置１００の断面について説明する。
【００２３】
図２を参照して、本発明の実施の形態に従う原稿搬送装置１００は、フレーム１０２に覆われ、内部に複数の搬送ローラ等が設けられる。具体的には、搬送すべき原稿の束１２２の最上部の原稿に当接し、原稿搬送装置１００の内部に搬送するピックアップコロ１０４と、原稿を１枚ずつに分離するリバースコロ１０６およびフィードコロ１０５と、１枚に分離された原稿を搬送するとともに原稿の斜行を補正するレジストローラ１１０と、レジストローラ１１０により送られた原稿をプラテンガラス２１０上の原稿読取位置２１２に搬送する読取前ローラ１１５および読取前ローラ１１５と対をなす読取加圧コロ１１６と、原稿読取位置通過後の原稿を排出トレイに搬送する読取後ローラ１２０および読取後ローラ１２０と対をなす搬送加圧コロ１２１と、原稿検出センサ１１８とを有している。なお、読取前ローラ１１５と読取後ローラ１２０との間の搬送経路は、弓状に湾曲させた形状で構成されている。また、本例においては、読取後ローラ１２０の原稿搬送速度は読取前ローラ１１５よりも速いものとする。また、その速度差は、読取前ローラと読取後ローラとの間の搬送経路において突っ張りが生じない程度に設定されている。
【００２４】
次に、本発明の実施の形態に従う原稿搬送装置１００の動作について説明する。
まず、ピックアップコロ１０４が原稿に当接し、ピックアップコロ１０４と当接した原稿は、ピックアップコロ１０４の回転により、フィードコロ１０５とリバースコロ１０６とからなるローラ対に送られて１枚の原稿に分離されるとともに、搬送経路Ｌ１を通ってレジストローラ１１０に送られる。
【００２５】
レジストローラ１１０は、原稿の斜行を補正して、搬送経路Ｌ２を通って読取前ローラ１１５に搬送し、読取前ローラ１１５は、読取前ローラ１１５の回転による搬送速度で原稿を原稿読取位置２１２に搬送し、原稿読取位置２１２を通過させる。
【００２６】
また、原稿が原稿検出センサ１１８を通過した際に、原稿の先端部分が検知され、原稿読取位置２１２において原稿の読取が始まるように制御される。
【００２７】
具体的には、原稿の上面（表面）の読取が行われる。
そして、読取前ローラ１１５により搬送される原稿の搬送方向（原稿搬送方向）の先端が読取後ローラ１２０に達すると、原稿は読取前ローラ１１５と読取後ローラ１２０の双方により搬送される。そして、原稿の後端が読取前ローラ１１５を抜けると、読取後ローラ１２０により搬送が行われる。そして、排出ローラ１２５により原稿が排出される。
【００２８】
両面原稿の読取の場合には、原稿は、排出ローラ１２５から搬送経路Ｌ３を通って再びレジストローラ１１０に搬送される。そして、レジストローラ１１０は、搬送経路Ｌ３を通って搬送されてきた原稿を再び読取前ローラ１１５に搬送する。そして、原稿は、読取前ローラ１１５から再び、原稿読取位置２１２に搬送されて、原稿の下面（裏面）の読取が行われる。そして、読取後ローラ１２０に搬送されて、排出ローラ１２５から排紙トレイに排出される。
【００２９】
図３を用いて、原稿読取位置２１２から読取後ローラ１２０までの搬送経路について説明する。
【００３０】
図３（Ａ）を参照して、原稿読取位置２１２から読取後ローラ１２０までの搬送経路において、プラテンガラス２１０上の原稿読取位置２１２において、原稿が読み取られた後、すくい上げ部材２２０により原稿がすくい上げられ読取後ローラ１２０に搬送される。なお、本例においては、原稿は、すくい上げ部材２２０の頂点部２３０において接触して、読取後ローラ１２０側に搬送されている場合が示されている。すくい上げ部材２２０は、プラテンガラス２１０近傍に設けられた、搬送経路を形成する部材（原稿台部材）である。なお、本例においては、頂点部２３０において原稿がすくい上げ部材２２０と接触している場合について説明しているが、少なくとも１点以上で接触していれば良く、複数点で接触していても良い。なお、本例における原稿台部材は、原稿搬送装置１００の一部として設けられていてもよいし、あるいはイメージリーダ部２０の部品の一部を形成するものであってもよい。
【００３１】
そして、本発明の実施の形態に従う原稿搬送装置１００は、すくい上げ部材２２０に対向して搬送経路を形成するガイド部材１５０が設けられ、ガイド部材１５０には、後述するがすくい上げ部材２２０の頂点部２３０との間で原稿を保持することが可能な保持機構が設けられている。具体的には、ガイド部材１５０には、搬送経路側に突出した凸部１４０が設けられている。
【００３２】
そして、図３（Ｂ）を参照して、読取後ローラ１２０と、読取後ローラ１２０と対をなす搬送加圧コロ１２１とのニップ部に搬送される。なお、この場合、すくい上げ部材２２０に対向して設けられているガイド部材１５０の凸部１４０に原稿は接触していないものとする。
【００３３】
そして、図３（Ｃ）を参照して、ここでは、読取前ローラ１１５を原稿の後端が抜けた場合の状態が示されている。
【００３４】
図３（Ｃ）に示されるように、読取前ローラ１１５を原稿の後端が抜けた際において、原稿は、読取後ローラ１２０および搬送加圧コロ１２１とで挟まれるとともに、ガイド部材１５０の凸部１４０およびすくい上げ部材２２０の頂点部２３０とにより原稿が挟まれた状態が示されている。すなわち、保持機構により原稿の搬送経路はＳ字状に構成されている。
【００３５】
なお、原稿搬送方向に対して、すくい上げ部材２２０の頂点部２３０が上流側、ガイド部材１５０の凸部１４０は下流側に設けられるものとする。
【００３６】
図４を用いて、頂点部２３０と凸部１４０とにより原稿が保持される場合を模式的に説明する。
【００３７】
図４（Ａ）を参照して、原稿の先端部が原稿読取位置２１２を通過した後、読取後ローラ１２０に到達するまでは、搬送経路の外側に沿って原稿が搬送されることになる。なお、この場合においても、凸部１４０と原稿とは接触していない。
【００３８】
そして、原稿の先端部が読取後ローラ１２０と搬送加圧コロ１２１とのニップ部に到達して読取後ローラ１２０により搬送されると、上述したように、読取後ローラ１２０の方が読取前ローラ１１５よりも原稿搬送速度が速く設定されているため読取前ローラ１１５と読取後ローラ１２０との間の搬送経路の形状に沿って形成される原稿のループは、搬送経路の外側から内側に少しずつ縮小される。これにより、ガイド部材１５０の搬送経路側に突出した凸部１４０が原稿の上面側と接触し、また、すくい上げ部材２２０の頂点部２３０とが原稿の下面側と接触する。すなわち、原稿をＳ字状として上からおよび下から押えつけて保持することが可能である。
【００３９】
図５を用いて、比較例として従来の装置において原稿が搬送される搬送経路について説明する。本実施の形態に従う原稿搬送装置１００と異なる点は、ガイド部材１５０＃とした点である。具体的には、ガイド部材１５０＃には、凸部１４０は設けられていない。
【００４０】
上述したように、図５（Ａ）を参照して、原稿読取位置２１２から読取後ローラ１２０までの搬送経路において、プラテンガラス２１０上の原稿読取位置２１２において、原稿が読み取られた後、すくい上げ部材２２０により原稿がすくい上げられ読取後ローラ１２０に搬送される。
【００４１】
そして、図５（Ｂ）を参照して、読取後ローラ１２０と、読取後ローラ１２０と対をなす搬送加圧コロ１２１とのニップ部に搬送される。なお、この図５（Ａ）および（Ｂ）の状態は、図３（Ａ）および（Ｂ）の原稿の状態と同様である。
【００４２】
そして、図５（Ｃ）を参照して、ここでは、読取前ローラ１１５を原稿の後端が抜けた場合の状態が示されている。
【００４３】
図５（Ｃ）に示されるように、読取前ローラ１１５を原稿の後端が抜けた際において、搬送経路の外側を通っていた原稿は、内側に持ち上げられて原稿の挙動が変化した場合が示されている。これは、上述したように、読取後ローラ１２０の方が読取前ローラ１１５よりも原稿搬送速度が速く設定されているため読取前ローラ１１５と読取後ローラ１２０との間の搬送経路の形状に沿って形成される原稿のループは、搬送経路の外側から内側に少しずつ縮小される。そして、搬送経路の内側方向に力がかかるため、読取前ローラ１１５を原稿の後端が抜けた場合において、原稿のテンションが変化して搬送経路内の原稿読取位置における原稿の位置が変化するとともに原稿搬送速度が変化する。これにより、上記したように、ピッチむらや色ずれ等の画質の劣化が生じることになる。
【００４４】
一方、本発明の実施の形態に従う原稿搬送装置１００は、上述したように、読取前ローラ１１５を原稿の後端が抜けた場合において、凸部１４０と頂点部２３０とにより原稿が保持されていることにより原稿のテンションのかかり具合が大きく変化することがなく、搬送経路内の原稿読取位置において、原稿が通る位置および原稿搬送速度を一定とすることが可能である。
【００４５】
したがって、ピッチむらや色ずれ等の画質の劣化を抑制すること可能である。
また、本例においては、原稿読取位置よりも原稿搬送方向の下流側に保持機構を設けることにより原稿読取位置において原稿が読み取られるまで原稿を保持した状態を維持し続けることが可能であり、画質の劣化をさらに抑制することが可能である。
【００４６】
また、本例においては、保持機構で原稿を保持する構成であり、弾性部材を用いて押圧していないため薄紙原稿あるいは厚紙原稿等の原稿の種類に依らずに搬送経路内において、原稿が通る位置を一定とすることが可能である。
【００４７】
図６（Ａ）を用いて本発明の実施の形態に従う読取前ローラ１１５から原稿読取位置２１２までの搬送経路について説明する。
【００４８】
上記においては、原稿読取位置２１２から読取後ローラ１２０までの搬送経路において、保持機構を設ける構成について説明したが、読取前ローラ１１５から原稿読取位置２１２までの搬送経路に保持機構を設けるようにすることも可能である。
【００４９】
具体的には、読取前ローラ１１５から原稿読取位置２１２までの搬送経路において、読取前ローラ１１５から搬送された原稿がガイド部材１５５＃に沿って搬送される。そして、さらに、搬送部材２２５により原稿がプラテンガラス２１０に搬送される。なお、本例においては、原稿は、ガイド部材１５５＃の頂点部２３５において接触した後、搬送部材２２５を介してプラテンガラス２１０側に搬送されている場合が示されている。搬送部材２２５は、プラテンガラス２１０近傍に設けられた、搬送経路を形成する部材（原稿台部材）である。なお、本例においては、頂点部２３５において原稿がガイド部材１５５＃と接触している場合について説明しているが、少なくとも１点以上で接触していれば良く、複数点で接触していても良い。
【００５０】
そして、ガイド部材１５５＃に対向して搬送経路を形成するガイド部材１５５が設けられ、ガイド部材１５５には、ガイド部材１５５＃の頂点部２３５との間で原稿を保持することが可能な保持機構が設けられている。具体的には、ガイド部材１５５には、搬送経路側に突出した凸部１４５が設けられている。
【００５１】
そして、図６（Ｂ）を参照して、ここでは、読取前ローラ１１５を原稿の後端が抜けた場合の状態が示されている。
【００５２】
図６（Ｂ）に示されるように、読取前ローラ１１５を原稿の後端が抜けた際において、原稿は、読取後ローラ１２０および搬送加圧コロ１２１とで挟まれるとともに、ガイド部材１５５の凸部１４５およびガイド部材１５５＃の頂点部２３５とにより原稿が挟まれた状態が示されている。すなわち、保持機構により原稿の搬送経路はＳ字状に構成されている。なお、原稿搬送方向に対して、ガイド部材１５５＃の頂点部２３５が上流側、ガイド部材１５５の凸部１４５は下流側に設けられるものとする。
【００５３】
図７を用いて、頂点部２３５と凸部１４５とにより原稿が保持される場合を模式的に説明する。
【００５４】
図７（Ａ）を参照して、原稿の先端部が原稿読取位置２１２を通過した後、読取後ローラ１２０に到達するまでは、搬送経路の外側に沿って原稿が搬送されることになる。なお、この場合においても、凸部１４５と原稿とは接触していない。
【００５５】
そして、原稿の先端部が読取後ローラ１２０と搬送加圧コロ１２１とのニップ部に到達して読取後ローラ１２０により搬送されると、上述したように、読取後ローラ１２０の方が読取前ローラ１１５よりも原稿搬送速度が速く設定されているため読取前ローラ１１５と読取後ローラ１２０との間の搬送経路の形状に沿って形成される原稿のループは、搬送経路の外側から内側に少しずつ縮小される。これにより、ガイド部材１５５の搬送経路側に突出した凸部１４５が原稿の上面側と接触し、また、ガイド部材１５５＃の頂点部２３５とが原稿の下面側と接触する。すなわち、原稿をＳ字状として上からおよび下から押えつけて保持することが可能である。
【００５６】
当該構成により、上述したように、読取前ローラ１１５を原稿の後端が抜けた場合において、凸部１４５と頂点部２３５とにより原稿が保持されていることにより原稿のテンションのかかり具合が大きく変化することがなく、搬送経路内の原稿読取位置において、原稿が通る位置および原稿搬送速度を一定とすることが可能である。すなわち、ピッチむらや色ずれ等の画質の劣化を抑制すること可能である。
【００５７】
なお、本例においては、ガイド部材１５５＃に頂点部２３５が設けられて凸部１４５との間で保持機構が形成される場合について説明したが、例えば、搬送部材２２５に頂点部２３５を設けて凸部１４５との間で保持機構を形成するようにしても良い。
【００５８】
なお、搬送部材１４５は、原稿搬送装置１００の一部として設けられていてもよいし、あるいはイメージリーダ部２０の部品の一部を形成するものであってもよい。
【００５９】
図８を用いて、凸部１４０の位置を調整する方式について説明する。
図８を参照して、ここでは、位置決め部材１５５が設けられている場合が示されている。具体的には、位置決め部材１７０は、原稿搬送方向と直交する水平方向において、ガイド部材１５０において原稿が搬送される領域の両側に設けられる。そして、当該位置決め部材１７０とすくい上げ部材２２０が当接してガイド部材１５０の位置が設定されるものとする。位置決め部材１７０は、ネジ等で構成され、上下の長さを調整可能であるものとする。ガイド部材１５０から搬送経路側に突出される長さを調整することによりすくい上げ部材２２０からの高さを調整して、凸部１４０の位置を調整することが可能である。
【００６０】
図９を用いて、すくい上げ部材２２０の位置を調整する方式について説明する。
図９を参照して、ここでは、位置決め部材２４０が設けられている場合が示されている。具体的には、位置決め部材２４０は、すくい上げ部材は、ネジ等で構成され、すくい上げ部材２２０を上下に調整可能であるものとする。ネジ等ですくい上げ部材２２０の高さを調整することにより頂点部２３０の位置を調整することも可能である。
【００６１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６２】
１  複写機、１４  給紙トレイ、１５  原稿搬送制御部、１６  排紙トレイ、１８  給紙部、２０  イメージリーダ部、２４  画像形成部、１００  原稿搬送装置、１０４  ピックアップコロ、１０６  リバースコロ、１１５  読取前ローラ、１２０  読取後ローラ、１２５  排出ローラ、１５０，１５０＃，１５５，１５５＃  ガイド部材、１７０，２４０  位置決め部材、２００  画像形成装置、２１０  プラテンガラス、２２０  すくい上げ部材、２２５  搬送部材。
【図１】
2011042472.tif 000003
【図２】
2011042472.tif 000004
【図３】
2011042472.tif 000005
【図４】
2011042472.tif 000006
【図５】
2011042472.tif 000007
【図６】
2011042472.tif 000008
【図７】
2011042472.tif 000009
【図８】
2011042472.tif 000010
【図９】
2011042472.tif 000011